(57)【要約】［課題］硬貨立ちの発生を抑えることが可能なコインチューブを提供する。［解決手段］上方から落下してくる硬貨を積載して収納するコインチューブ6であって、硬貨進入口に硬貨の落下姿勢を変更するための硬貨姿勢変換部9を有し、硬貨姿勢変換部9は、硬貨姿勢変換部9上における硬貨の進行方向の中心線clに対して、非対称な形状であることを特徴とする。
2016098259.tif 000002
【特許請求の範囲】
【請求項１】
上方から落下してくる硬貨を積載して収納するコインチューブであって、
硬貨進入口に硬貨の落下姿勢を水平に近い姿勢へと変換するための硬貨姿勢変換部を有し、
前記硬貨姿勢変換部は、前記硬貨姿勢変換部上における前記硬貨の進行方向の中心線に対して、非対称な形状である
ことを特徴とするコインチューブ。
【請求項２】
請求項１に記載のコインチューブであって、
前記硬貨姿勢変換部は、リブ状突起が設けられた板状部材を有し、
前記リブ状部材は、前記硬貨姿勢変換部上における前記硬貨の進行方向の中心線の両側のうちの一方の側にのみ設けられている、または、前記硬貨姿勢変換部上における前記硬貨の進行方向の中心線の両側のそれぞれに高さを変えて設けられている
ことを特徴とするコインチューブ。
【請求項３】
複数のコインチューブを並列して一体的に成形した硬貨収納カセットであって、
前記複数のコインチューブのうちの少なくとも一つが請求項１又は２に記載のコインチューブである
ことを特徴とする硬貨収納カセット。
【発明の詳細な説明】
【技術分野】
【０００１】
この発明は、自動販売機、両替機、精算機、券売機、サービス機器等（以下、「自動販売機等」という。）に搭載される硬貨処理装置のコインチューブに関する。
【背景技術】
【０００２】
従来から、自動販売機等の内部には、投入硬貨の正偽を判別するとともに、正貨とみなされた投入硬貨を金種毎に選別収納し、さらに選別収納された硬貨を釣銭等の額に応じて払い出す硬貨処理装置が搭載されている。図３は、このような硬貨処理装置の概略図である。【０００３】
硬貨処理装置1は、大別すると、投入硬貨の正偽を判別するとともに投入硬貨を金種別に振り分けるための硬貨選別部2と、硬貨選別部2により振り分けられた投入硬貨を金種毎に収納してそこから釣銭等の額に応じた硬貨を選択して払い出すための硬貨払出部3とから構成されている。そして、硬貨選別部2は、投入硬貨の正偽及び金種を判別するための硬貨識別手段4と、この硬貨識別手段が真正硬貨とみなした硬貨を金種別に振り分ける硬貨振分手段5とを有している。また、硬貨払出部3は、硬貨選別部2により金種毎に振り分けられた硬貨をそれぞれ金種毎に収納する複数のコインチューブ6と、この複数のコインチューブ6から釣銭等の額に応じた硬貨を選択して払い出すための硬貨払出手段7とを有している。なお、この硬貨払出手段としては、コインチューブ6に収納された硬貨を、コインチューブ6の最下部に開口したスリット状の孔から、ペイアウトスライドと称されているスライド部材によって一枚ずつ引き出すことにより硬貨を払い出すものが広く採用されている。【０００４】
そして、硬貨払出部3においては、コインチューブ6からの硬貨の回収やコインチューブ6へのつり銭の補充をしやすくするために、その複数のコインチューブ6は硬貨処理装置1の本体から着脱可能な硬貨収納カセット8の中に設けられているのが通常である。図４は、このような硬貨収納カセット8の斜視図である。この硬貨収納カセット8は、複数のコインチューブ6を並列して一体的に成形されたものである。【０００５】
このような硬貨処理装置1において、投入硬貨は、硬貨振分手段5によって振り分けられた後、上方からの自然落下によって、コインチューブ6に収納される。このとき、硬貨が立った状態で収容されると、コインチューブ6の中で硬貨が不整列な状態で積載され、硬貨払出手段7によって硬貨を払い出すときに硬貨の詰まりが発生してしまい、硬貨処理装置1の不具合の原因となってしまう。このコインチューブ6の中で硬貨が立ってしまう現象、いわゆる硬貨立ちという現象は、コインチューブ6の底面又はコインチューブ6に収納された硬貨の上に着地した硬貨が、コインチューブ6の内径面に寄り掛かった状態で止まるもので、着地点でのコインチューブ6の底面と硬貨との滑り又は硬貨同士の滑り、及び硬貨とコインチューブ6の内径面との滑りなどが影響している。これらの滑りに影響を与える要素としては、硬貨の外径や厚み寸法、硬貨外形や表面の模様の凹凸形状などが挙げられる。厚みの大きい硬貨では立った状態での設置面積が大きくなる為に倒れ難く、外径エッジが立った硬貨や模様の凹凸の大きい硬貨でも滑りが悪くなる為に倒れ難くなる傾向がある。【０００６】
この硬貨立ちの発生を抑えるために、従来の硬貨処理装置1のコインチューブ6では、図５に示すように、硬貨をコインチューブ6の中心から後方にずれた位置から落下させることによって、硬貨が垂直姿勢を維持したままコインチューブ6の中に進入することができないようにしている。さらに、従来の硬貨処理装置1のコインチューブ6では、硬貨進入口に硬貨の姿勢を水平に近い姿勢に変換するための板状の硬貨姿勢変換部9を設けて、この硬貨姿勢変換部9によって、硬貨が傾いた姿勢で落下するように導き、硬貨が着地するときに倒れやすいようにしている。
【先行技術文献】
【特許文献】
【０００７】
【特許文献１】特開２０１０−１４６３１４号公報
【発明の概要】
【発明が解決しようとする課題】
【０００８】
従来のコインチューブでは硬貨立ちの発生を完全に防止することはできないため、さらなる改善が必要という問題がある。【０００９】
本発明は、上記の問題に鑑み、硬貨立ちの発生を抑えることが可能なコインチューブを提供することを課題とする。
【課題を解決するための手段】
【００１０】
上記課題を解決するために、請求項１のコインチューブ6は、上方から落下してくる硬貨を積載して収納するコインチューブ6であって、硬貨進入口に硬貨の落下姿勢を水平に近い姿勢へと変換するための硬貨姿勢変換部9を有し、前記硬貨姿勢変換部9は、前記硬貨姿勢変換部9上における前記硬貨の進行方向の中心線clに対して、非対称な形状であることを特徴とする。【００１１】
請求項２のコインチューブ6は、請求項１に記載のコインチューブ6あって、前記硬貨姿勢変換部9、リブ状突起9bが設けられた板状部材9aを有し、前記リブ状部材9bは、前記硬貨姿勢変換部9上における前記硬貨の進行方向の中心線clの両側のうちの一方の側にのみ設けられている、または、前記硬貨姿勢変換部9上における前記硬貨の進行方向の中心線clの両側のそれぞれに高さを変えて設けられていることを特徴とする。【００１２】
請求項３の硬貨収納カセット8は、複数のコインチューブ6を並列して一体的に成形した硬貨収納カセット8であって、前記複数のコインチューブ6のうちの少なくとも一つが請求項１又は２に記載のコインチューブ6であることを特徴とする。
【発明の効果】
【００１３】
本発明によれば、硬貨立ちの発生を抑えることが可能である。
【図面の簡単な説明】
【００１４】
【図１】本発明の実施形態のコインチューブを備えた硬貨収納カセットの正面側斜視図である。
【図２】本発明の実施形態のコインチューブに硬貨が収納される様子を示す硬貨処理装置の要部側方断面図である。
【図３】従来の硬貨処理装置の正面概略図である。
【図４】従来のコインチューブを備えた硬貨収納カセットの正面側斜視図である。
【図５】従来のコインチューブに硬貨が収納される様子を示す硬貨処理装置の要部側方断面図である。
【発明を実施するための形態】
【００１５】
以下、本発明の実施形態の１つを図面に基づいて説明する。
【００１６】
図１は、本発明の実施形態のコインチューブ6を備えた硬貨収納カセット8の正面側斜視図であり、図２は、本発明の実施形態のコインチューブ6に硬貨が収納される様子を示す要部側方断面図である。この実施形態の硬貨収納カセット8及びコインチューブ6の構造は、以下で説明する部分を除いて、前述した従来の硬貨収納カセット8及びコインチューブ6の構造と同様である。よって、この実施形態における構成部材のうち前述の従来のコインチューブ6における構成部材と同等の部材には同一の符号を付し、詳しい説明は省略する。
【００１７】
このコインチューブ6は、従来のコインチューブ6と同様に、硬貨がコインチューブ6の中心から後方にずれた位置から進入してくることを想定したものである。このコインチューブ6には、その硬貨進入口の内壁面に板状部材9aからなる硬貨姿勢変換部9が設けられている。この板状の部材からなる硬貨姿勢変換部9は、進入してくる硬貨を案内するために、硬貨が進入してくる箇所に近い側の内壁面に設けられており、下方に傾斜している。また、この硬貨姿勢変換部9の板状部材9aは、硬貨姿勢変換部9によって姿勢が変換された硬貨を滞りなく落下させるために、半円状の切り込みが設けられたような形状をしている。
【００１８】
このコインチューブ6に進入する硬貨は、コインチューブ6の内壁と硬貨姿勢変換部9とに当接し、この硬貨姿勢変換部9の傾斜に沿って滑るように落下することによってその進行姿勢が水平に近い姿勢に変化する。その後、コインチューブ6の中を落下する硬貨は、コインチューブ6の内壁に衝突することによって、さらに進行姿勢が変化し、コインチューブ6の底部に達するときには、通常は、さらに水平に近い姿勢になる。コインチューブ6の中で硬貨立ちが発生するのは、硬貨が垂直に近い姿勢でコインチューブ6の底部又は収納されている硬貨の上面に達したときなので、硬貨が水平に近い姿勢でコインチューブ6の底面又は収納されている硬貨の上面に達する場合には、通常、硬貨立ちは発生しない。しかし、コインチューブ6の中を落下している硬貨の姿勢を管理又は制御することはできないので、コインチューブ6に収納されている硬貨の枚数によっては、その上に落下してくる硬貨の姿勢は変わってくることになる。
【００１９】
そこで、このコインチューブ6の硬貨姿勢変換部9には、硬貨を案内する板状部材9aだけでなく、さらに、リブ状突起9bが設けられている。このリブ状突起9bは、コインチューブ6の硬貨進入口付近の内壁と板状部材9aとによって生じる傾きに加えて、その傾きとは垂直な方向への傾きを生じさせるものである。そのため、このリブ状突起9bは、硬貨姿勢変換部9の板状部材9aにおいて、硬貨姿勢変換部9上の硬貨の進行方向の中心線clの両側のうちの一方の側にのみ設けられている。
【００２０】
このリブ状突起9bが存在することによって、このコインチューブ6に進入して硬貨姿勢変換部9に当接した硬貨は、自由落下の勢いとこのリブ状突起9bにより生じる傾きとによって、硬貨進入口付近の内壁と板状部材9aとによって生じる傾きとは垂直の方向に、緩やかに回転するようになる。その結果、コインチューブ6の中を落下する硬貨には、横方向へ回転するような慣性力が働くことになる。そして、このような慣性力を有する硬貨が垂直に近い姿勢でコインチューブ6の底面又は収納されている硬貨の上面に着地したとしても、その硬貨は、その慣性力によって着地時の姿勢を保持することが難しくなる。そのため、このリブ状突起9bの存在によって硬貨立ちの発生を抑えることができる。
【００２１】
以上のとおり、このコインチューブ6は、その硬貨進入口に硬貨の姿勢を水平に近い姿勢に変換する硬貨姿勢変換部9を有しているとともに、その硬貨姿勢変換部9は、その硬貨姿勢変換部9上の硬貨に、進行方向に垂直な方向への回転力を付与するものとなっている。この回転力の付与は、硬貨姿勢変換部9を、硬貨姿勢変換部9上における硬貨の進行方向の中心線clに対して、非対称な形状とすることによって実現可能である。このコインチューブ9においては、リブ状突起9bを硬貨姿勢変換部9上における前記硬貨の進行方向の中心線clの両側のうちの一方の側にのみ設けることによって、硬貨姿勢変換部9を非対称な形状としている。その他の構成としては、高さの異なるリブ状突起を硬貨姿勢変換部9上における硬貨の進行方向の中心線clの両側のそれぞれに設ける構成や、リブ状突起を設けずに板状部材9自体を左右にも傾けさせる構成などが考えられる。
【００２２】
上述の実施形態のコインチューブ6によれば、従来のコインチューブよりも、硬貨立ちの発生を抑えることすることが可能である。
【００２３】
以上、本発明の実施形態の１つについて説明したが、本発明のコインチューブはこの実施形態に限定されるものではない。特許請求の範囲に記載した構成を充足する限りにおいて、適宜の構成を採用することができる。
【符号の説明】
【００２４】
1  硬貨処理装置
2  硬貨選別部
3  硬貨払出部
4  硬貨識別手段
5  硬貨振分手段
6  コインチューブ
7  硬貨払出手段
8  硬貨収納カセット
9  硬貨姿勢変換部
C  硬貨
【図１】
2016098259.tif 000003
【図２】
2016098259.tif 000004
【図３】
2016098259.tif 000005
【図４】
2016098259.tif 000006
【図５】
2016098259.tif 000007
【国際調査報告】
2016098259.tif 000008
2016098259.tif 000009